(57)【特許請求の範囲】
【請求項１】
１つ又は複数の電子部品が収容される電子機器の筐体の一の主面を構成するパネルであって、
前記パネルは平面視で略矩形形状を有し、
前記パネルは、複数の非隆起部と、前記非隆起部よりも前記筐体の外部側に段差状に突出した複数の隆起部とを有し、前記パネルは、前記非隆起部が両端に位置するように、前記パネルの所定の辺に平行な第１の方向において前記複数の非隆起部及び前記複数の隆起部を交互に有し、
前記各隆起部、及び前記第１の方向において両端に位置する非隆起部以外の非隆起部は、前記筐体の内部側に向かって凹むように湾曲し、
前記第１の方向において両端に位置する各非隆起部は平坦であり、
前記パネルは、前記第１の方向に平行な一対の辺と、前記第１の方向に直交する第２の方向に平行な一対の辺とを有し、
前記各隆起部、及び前記第１の方向において両端に位置する非隆起部以外の非隆起部は、前記主面に垂直かつ前記第１の方向に沿った断面と、前記主面に垂直かつ前記第２の方向に沿った断面との両方において、前記筐体の内部側に向かって凹むように湾曲する、
パネル。
【請求項２】
前記パネルは、前記隆起部が前記非隆起部に対して突出する方向とは逆の方向に前記主面の端部から延在する縦面部を有する、
請求項１記載のパネル。
【請求項３】
請求項１又は２記載のパネルを含む、
電子機器の筐体。
【請求項４】
１つ又は複数の電子部品と、
前記電子部品が収容される請求項３記載の電子機器の筐体と、を有する、
電子機器。
【請求項５】
前記電子部品のうちの少なくとも１つは、弾性体を介して、前記パネルの前記第１の方向において両端に位置する各非隆起部上に支持されている、
請求項４記載の電子機器。
【請求項６】
請求項１記載のパネルの製造方法であって、
第１及び第２の金型を用い、前記第１及び第２の金型を型締めすることにより形成されるキャビティに溶融材料を注入することにより前記パネルを形成するステップを含み、
前記第１及び第２の金型の内面における前記非隆起部を形成する部分及び前記隆起部を形成する部分は、前記非隆起部及び前記隆起部の湾曲形状に対応して湾曲されている、
パネルの製造方法。
【発明の詳細な説明】
【技術分野】
【０００１】
本開示は、１つ又は複数の電子部品が収容される電子機器の筐体の一の主面を構成するパネルに関する。本開示はまた、そのようなパネルを含む電子機器の筐体、そのような電子機器の筐体を有する電子機器、及びそのようなパネルの製造方法に関する。
【背景技術】
【０００２】
例えば、特許文献１は、ノートブック型コンピュータの筐体の構造を開示している。
【先行技術文献】
【特許文献】
【０００３】
【特許文献１】特開２００３−２０４１７４号公報
【発明の概要】
【発明が解決しようとする課題】
【０００４】
ノートブック型コンピュータなどの電子機器では、その筐体をよりいっそう薄型化しつつ、筐体に適切な剛性を与えることが求められている。
【０００５】
本開示は、薄型化されていながら、適切な剛性を有するパネルを提供する。本開示はまた、そのようなパネルを備えた電子機器の筐体を提供し、そのような筐体を備えた電子機器を提供し、さらに、そのようなパネルの製造方法を提供する。
【課題を解決するための手段】
【０００６】
本開示に係るパネルは、
１つ又は複数の電子部品が収容される電子機器の筐体の一の主面を構成するパネルである。
パネルは平面視で略矩形形状を有する。
パネルは、複数の非隆起部と、非隆起部よりも筐体の外部側に段差状に突出した複数の隆起部とを有し、パネルは、非隆起部が両端に位置するように、パネルの所定の辺に平行な第１の方向において複数の非隆起部及び複数の隆起部を交互に有する。
各隆起部、及び第１の方向において両端に位置する非隆起部以外の非隆起部は、筐体の内部側に向かって凹むように湾曲する。
第１の方向において両端に位置する各非隆起部は平坦である。
【発明の効果】
【０００７】
本開示によれば、各隆起部、及び第１の方向において両端に位置する非隆起部以外の非隆起部を、筐体の内部側に向かって凹むように湾曲させたことにより、これらの各隆起部及び非隆起部の剛性が向上する。また、第１の方向において両端に位置する各非隆起部は平坦であるが、両端に位置する各非隆起部は、通常、隆起部に隣接する辺以外の辺において、主面に直交する方向に延びる縦面部が接続される。よって、両端に位置する各非隆起部においては、湾曲させなくても一定の剛性が得られる。したがって、本開示のパネルによれば、筐体の一の主面を構成するパネル全体として高い剛性が得られる。よって、外力によるパネルの変形が生じにくくなり、外力によるパネルの変形を見込んでパネルと電子部品との間に余分な空間を設ける必要性が減少する。そのため、上側筐体を薄型化することができる。本開示は、薄型化されていながら、適切な剛性を有するパネルを提供することができる。
【図面の簡単な説明】
【０００８】
【図１】本開示の実施の形態に係る電子機器を開状態で示す斜視図である。
【図２】本開示の実施の形態に係る電子機器の上側筐体の外側を示す斜視図である。
【図３】本開示の実施の形態に係る電子機器の上側筐体の幅方向における断面図である。
【図４】本開示の実施の形態に係る電子機器の上側筐体のパネルを示す斜視図である。
【図５】図４のＡ１−Ａ１’線におけるパネルの断面図である。
【図６】図４のＡ２−Ａ２’線及びＡ６−Ａ６’線におけるパネルの断面図である。
【図７】図４のＡ３−Ａ３’線及びＡ５−Ａ５’線におけるパネルの断面図である。
【図８】図４のＡ４−Ａ４’線におけるパネルの断面図である。
【図９】本開示の実施の形態に係る電子機器の上側筐体のパネル２２の製造工程を示す概略図である。
【図１０】比較例に係る筐体のパネルを示す断面図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（発明の経緯）
電子機器の筐体を薄型化する場合、その剛性をいかに確保するかという課題がある。
【００１２】
主に薄板のパネルで構成される筐体では、成型及び組み付けなどに起因して、パネルの面が筐体の外側に向かって突出するように反ることがある。このように突出した部分において、筐体の外側から当該部分に向かって力を加えると、突出側とは逆側に急激に変形してパネルの剛性が低下すること、及び、変形時に音が生じること、などの課題がある。
【００１３】
パネルの剛性を向上するために、従来、筐体を構成する板の厚さを増大させること、パネルの成型後にアニーリングなどによりパネルを凹湾曲面に変形すること、などが試みられている。しかしながら、前者には、重量が増加するという課題があり、後者には、成型工程のステップの増加によりコストが増大して量産性が低下すること、及び、凹湾曲面への変形が不安定であること、などの課題がある。
【００１４】
従って、薄型化されていながら、適切な剛性を有するパネルを提供することが求められる。特に、重量を増加させることなく、成型工程に余分なステップを追加することなく、少ない製造ばらつきで、高い剛性を有するパネルを提供することが求められる。
【００１５】
本開示は、薄型化されていながら、適切な剛性を有するパネルを提供する。本開示はまた、そのようなパネルを備えた電子機器の筐体を提供し、そのような筐体を備えた電子機器を提供する。さらに、上記パネルの製造上の課題を解決可能なパネルの製造方法を提供する。
【００１６】
（実施の形態）
図１〜図１０を参照して、本開示の実施の形態に係る電子機器１００について説明する。
【００１７】
［１．構成］
［１−１．全体構成］
図１は、本開示の実施の形態に係る電子機器１００を開状態で示す斜視図である。図２は、図１の電子機器１００の上側筐体２０の外側を示す斜視図である。電子機器１００は、例えば、ノートブック型コンピュータである。電子機器１００の筐体は、ヒンジ３１，３２により開閉可能に連結された下側筐体１０及び上側筐体２０を含む。
【００１８】
下側筐体１０及び上側筐体２０にはマグネシウム合金が使用される。
【００１９】
下側筐体１０の表面には、キーボード１１、ポインティングデバイス１２、及び排気口１３が備えられている。上側筐体２０は、液晶表示装置であるディスプレイ２３を収容する。
【００２０】
下側筐体１０の内部には、さらに、バッテリ、中央処理装置（ＣＰＵ）及び放熱ユニットが収容される。放熱ユニットは、下側筐体１０の内部でＣＰＵの動作時に発生した熱を、排気口１３を介して下側筐体１０の外部に排出する。下側筐体１０の内部には、さらに、ハードディスクドライブ（ＨＤＤ）又はソリッドステートドライブ（ＳＳＤ）、各種の入出力端子、その他の部品が収容される（図示せず）。下側筐体１０の内部には、さらに、無線ＬＡＮの通信モジュール、ブルーレイディスク及び／又はＤＶＤディスクを読み書きするための光ディスクドライブ、ウェブカメラ、マイクロホン及びスピーカ、などの部品が収容されてもよい。これらの部品の機能及び形状は、従来のノートブック型コンピュータと同様であるので、図示及び詳細な説明を省略する。
【００２１】
［１−２．上側筐体の構成］
図１及び図２に示すように、上側筐体２０は、電子機器１００を折りたたんだときに外部に露出しない内側筐体であるベゼル２１と、外部に露出する外側筐体であるパネル２２とを有する。ベゼル２１は、ディスプレイ２３の画面の周縁部分を包囲するように配置される背面パネルである。パネル２２は、ディスプレイ２３の裏側をカバーするように配置される。パネル２２は、平面視で略矩形形状を有し、上側筐体２０の一の主面を構成する。
【００２２】
ディスプレイ２３は外力による変形により破損しやすいので、上側筐体２０は、ディスプレイ２３を保護するために、外力がかかっても変形しにくいことが必要である。そこで、本実施の形態では、パネル２２に以下の構造を採用している。
【００２３】
［１−３．パネルの構成］
図３は、図１の電子機器１００の上側筐体２０の幅方向における断面図である。図４は、図１の電子機器１００の上側筐体２０のパネル２２を示す斜視図である。以下において、図３及び図４等に示すＸＹＺ座標を参照して説明する。
【００２４】
パネル２２は、第１の方向（Ｘ方向）に平行な一対の辺と、第１の方向に直交する第２の方向（Ｙ方向）に平行な一対の辺とを有する。パネル２２は、非隆起部２２ａ，２２ｅが両端に位置するように、３つの非隆起部２２ａ，２２ｃ，２２ｅと、２つの隆起部２２ｂ，２２ｄとを、Ｘ方向において交互に有する。非隆起部２２ａ，２２ｃ，２２ｅ及び隆起部２２ｂ，２２ｄは、上側筐体２０の一の主面を構成する。隆起部２２ｂ，２２ｄは、非隆起部２２ａ，２２ｃ，２２ｅよりも上側筐体２０の外部側（＋Ｚ側）に段差状に突出する。パネル２２は、非隆起部２２ａ，２２ｃ，２２ｅ及び隆起部２２ｂ，２２ｄを含む屈曲した断面形状を有するように一体的に形成される。
【００２５】
パネル２２は、さらに、隆起部２２ｂ，２２ｄが非隆起部２２ａ，２２ｃ，２２ｅに対して突出する方向とは逆の方向（−Ｚ方向）に、上側筐体２０の主面の端部から延びる縦面部２２ｆを有する。縦面部２２ｆは、パネル２２の周縁部分に沿って設けられる。縦面部２２ｆの先端は、ベゼル２１に嵌合する。
【００２６】
ディスプレイ２３は、Ｘ方向においてパネル２２の両端に位置する非隆起部２２ａ，２２ｅの−Ｚ側の面上に、ウレタンフォームなどの弾性体２４を介して支持されている。弾性体２４により、パネル２２の外部からディスプレイ２３にかかる外力が吸収される。
【００２７】
図５は、図４のＡ１−Ａ１’線におけるパネル２２の断面図である。図６は、図４のＡ２−Ａ２’線及びＡ６−Ａ６’線におけるパネル２２の非隆起部２２ａ，２２ｅの断面図である。図７は、図４のＡ３−Ａ３’線及びＡ５−Ａ５’線におけるパネル２２の隆起部２２ｂ，２２ｄの断面図である。図８は、図４のＡ４−Ａ４’線におけるパネル２２の非隆起部２２ｃ断面図である。隆起部２２ｂ，２２ｄは、上側筐体２０の内部側に向かって凹むように湾曲する凹部２５ｂ，２５ｄをそれぞれ有する。Ｘ方向においてパネル２２の両端に位置する非隆起部２２ａ，２２ｅ以外の非隆起部２２ｃは、上側筐体２０の内部側に向かって凹むように湾曲する凹部２５ｃを有する。隆起部２２ｂ，２２ｄ及び非隆起部２２ｃは、主面に垂直かつＸ方向に沿った断面（ＸＺ面）及び主面に垂直かつＹ方向に沿った断面（ＹＺ面）の両方において、上側筐体２０の内部側に向かって凹むように湾曲している。一方、Ｘ方向においてパネル２２の両端に位置する各非隆起部２２ａ，２２ｅは平坦である。
【００２８】
なお、図３等では、説明のために、隆起部２２ｂ，２２ｄ及び非隆起部２２ｃの湾曲を強調して示している。実際には、湾曲の深さは、肉眼では平坦な面と区別できない程度であってもよい。例えば、ディスプレイ２３から非隆起部２２ａ，２２ｃ、２２ｅまでの距離が約３ｍｍであり、ディスプレイ２３から隆起部２２ｂ，２２ｄまでの距離が５ｍｍである場合、湾曲の深さは例えば０．２〜０．３ｍｍである。
【００２９】
［１−４．パネルの製造方法］
図９は、図１の電子機器１００の上側筐体２０のパネル２２の製造工程（成型工程）を示す概略図である。図９（ａ）は溶融材料の注入前の金型４１，４２を型締めした状態を示し、図９（ｂ）は金型４１，４２に溶融材料が注入された状態を示し、図９（ｃ）は金型４１，４２を型開きした状態を示す。
【００３０】
金型４１，４２の内面における非隆起部２２ｃを形成４１ｃ，４２ｃする部分及び隆起部２２ｂ，２２ｄを形成する部分４１ｂ，４２ｂ，４１ｄ，４２ｄは、非隆起部２２ｃ及び隆起部２２ｂ，２２ｄの湾曲形状に対応して湾曲されている。金型４１，４２の内面における非隆起部２２ａ，２２ｅを形成する部分４１ａ，４２ａ，４１ｅ，４２ｅ及び縦面部２２ｆを形成する部分４１ｆ，４２ｆもまた、非隆起部２２ａ，２２ｅ及び縦面部２２ｆの形状に対応する形状を有する。
【００３１】
パネル２２は、図９（ａ）〜図９（ｃ）のステップにより射出成形される。図９（ａ）において、金型４１，４２を用い、金型４１，４２を型締めすることによりキャビティ４３を形成する。図９（ｂ）において、キャビティ４３にマグネシウム合金などの溶融材料を注入して所定時間にわたって保圧することによりパネル２２を形成する。パネル２２の冷却後、図９（ｃ）において、金型４１，４２を開き、成型されたパネル２２を取り出す。
【００３２】
パネル２２は、非隆起部２２ｃ及び隆起部２２ｂ，２２ｄの湾曲形状に対応して湾曲された金型４１，４２を用いて射出成形されることにより、アニーリングなどの追加の処理を必要とすることなく、凹部２５ｂ〜２５ｄを有して形成される。
【００３３】
［２．作用］
上述のように構成されたパネル２２の作用を以下に説明する。
【００３４】
図１０は、比較例に係る筐体のパネル５１を示す断面図である。図１０（ａ）は、外力がかかっていないときのパネル５１の形状を示し、図１０（ｂ）は外力がかかったときのパネル５１の形状を示す。パネル５１は、筐体の外側（図１０の上側）に突出した隆起部５１ａを有する。隆起部５１ａの上面を平坦に形成しようとしても（図１０（ａ）の点線）、隆起部５１ａの材料の加熱時の膨張及び冷却時の収縮などに起因して、図１０（ａ）に示すように、隆起部５１ａの上面が筐体の外側に向かって凸形状に湾曲することがある。この場合、隆起部５１ａに外力Ｆがかかると、図１０（ｂ）に示すように、隆起部５１ａは、筐体の内側に向かって凹形状に湾曲するように変形する。このとき、変形によりパネル５１の剛性が低下したり、変形時に音が生じたりすることがある。
【００３５】
一方、図３等に示す本実施の形態のパネル２２では、凹部２５ｂ，２５ｄを予め有するように隆起部２２ｂ，２２ｄを形成したことにより、外力による隆起部２２ｂ，２２ｄの変形が生じにくくなっている。同様に、凹部２５ｃを予め有するように非隆起部２２ｃを形成したことにより、外力による非隆起部２２ｃの変形が生じにくくなっている。隆起部２２ｂ，２２ｄ及び非隆起部２２ｃを含むパネル２２の変形が生じにくくなっているので、外力によるパネル２２の変形を見込んでパネル２２とディスプレイ２３との間に余分な空間を設ける必要性が低下し、上側筐体２０を薄型化することができる。
【００３６】
また、本実施の形態のパネル２２は、前述のように、両端の非隆起部２２ａ，２２ｅは、＋Ｙ側の辺及び−Ｙ側の辺において縦面部２２ｆに連結されているのに加えて、＋Ｘ側の辺又は及び−Ｘ側の辺においても縦面部２２ｆに連結されている。一方、隆起部２２ｂ，２２ｄ及び非隆起部２２ｃは、＋Ｙ側の辺及び−Ｙ側の辺のみにおいて縦面部２２ｆに連結されている。このように、非隆起部２２ａ，２２ｅは、３方向の辺において縦面部２２ｆに連結されているので、湾曲させなくても一定の剛性が得られ、外力による変形が生じにくくなっている。
【００３７】
また、本実施の形態のパネル２２では、両端の非隆起部２２ａ，２２ｅにおいて弾性体２４でディスプレイ２３を支持する。パネル２２の両端の非隆起部２２ａ，２２ｅでは、それらの間の隆起部２２ｂ，２２ｄ及び非隆起部２２ｃよりも、電子機器１００の使用時に外力がかかりやすい。パネル２２の両端の非隆起部２２ａ，２２ｅを平坦に形成したことにより、パネル２２の外部からディスプレイ２３にかかる外力を吸収するために弾性体２４を設けるための空間を確保することができる。ここで、両端の非隆起部２２ａ，２２ｅについても内部側へ湾曲させた場合、当該非隆起部２２ａ，２２ｅとディスプレイ２３との間の距離が、湾曲させない場合よりも小さくなる。したがって、湾曲させた場合、一定の厚みを有する弾性体２４を配置するためには、上側筐体全体の厚みを本実施の形態よりも大きくしなければならない。よって、両端の非隆起部２２ａ，２２ｅについても内部側へ湾曲させた場合、本実施の形態ほどに薄型化することはできない。
【００３８】
また、本実施の形態のパネル２２では、パネル２２を成型してから、アニーリングなどの後工程を行ってパネル２２を変形する必要がないので、後工程においてパネル２２に生じる可能性がある寸法及び精度などのばらつきを軽減することができる。
【００３９】
従って、本実施の形態によれば、薄型化されていながら、適切な剛性を有するパネル２２を提供することができる。特に、重量を増加させることなく、成型工程に余分なステップを追加することなく、少ない製造ばらつきで、高い剛性を有するパネルを提供することができる。また、本実施の形態によれば、そのようなパネル２２を備えた電子機器１００の上側筐体２０を提供することができ、そのような上側筐体２０を備えた電子機器１００を提供することができ、そのようなパネル２２の製造方法を提供することができる。
【００４０】
［３．効果等］
本実施の形態において、ディスプレイ２３が収容される電子機器１００の上側筐体２０の一の主面を構成するパネル２２が提供される。パネル２２は平面視で略矩形形状を有する。パネル２２は、複数の非隆起部２２ａ，２２ｃ，２２ｅと、非隆起部２２ａ，２２ｃ，２２ｅよりも筐体の外部側に段差状に突出した複数の隆起部２２ｂ，２２ｄとを有する。パネル２２は、非隆起部２２ａ，２２ｅが両端に位置するように、パネル２２の所定の辺に平行な第１の方向（Ｘ方向）において複数の非隆起部２２ａ，２２ｃ，２２ｅ及び複数の隆起部２２ｂ，２２ｄを交互に有する。各隆起部２２ｂ，２２ｄ、及び両端に位置する非隆起部２２ａ，２２ｅ以外の非隆起部２２ｃは、上側筐体２０の内部側に向かって凹むように湾曲する。両端に位置する各非隆起部２２ａ，２２ｅは平坦である。
【００４１】
これにより、凹部２５ｂ，２５ｄをそれぞれ有するように隆起部２２ｂ，２２ｄを形成したことにより、外力による隆起部２２ｂ，２２ｄの変形が生じにくくなり、隆起部２２ｂ，２２ｄの剛性が向上する。同様に、凹部２５ｃを有するように非隆起部２２ｃを形成したことにより、外力による非隆起部２２ｃの変形が生じにくくなり、非隆起部２２ｃの剛性が向上する。また、両端に位置する各非隆起部２２ａ，２２ｅは平坦であるが、両端に位置する各非隆起部２２ａ，２２ｅは、通常、隆起部２２ｂ，２２ｄに隣接する辺以外の辺において、主面に直交する方向（Ｚ方向）に延びる縦面部２２ｆが接続される。よって、両端に位置する各非隆起部２２ａ，２２ｅにおいては、湾曲させなくても一定の剛性が得られる。したがって、上側筐体２０の一の主面を構成するパネル２２全体として高い剛性が得られる。このように、パネル２２の変形が生じにくくなっているので、外力によるパネル２２の変形を見込んでパネル２２とディスプレイ２３との間に余分な空間を設ける必要性が低下し、上側筐体２０を薄型化することができる。従って、薄型化されていながら、適切な剛性を有するパネル２２を提供することができる。
【００４２】
本実施の形態において、パネル２２は、隆起部２２ｂ，２２ｄが非隆起部２２ａ，２２ｃ，２２ｅに対して突出する方向とは逆の方向（−Ｚ方向）に主面の端部から延在する縦面部２２ｆを有する。
【００４３】
これにより、外力による変形がいっそう生じにくくなる。
【００４４】
本実施の形態において、パネル２２は、第１の方向（Ｘ方向）に平行な一対の辺と、第１の方向に直交する第２の方向（Ｙ方向）に平行な一対の辺とを有する。各隆起部２２ｂ，２２ｄ、及び両端に位置する非隆起部２２ａ，２２ｅ以外の非隆起部２２ｃは、主面に垂直かつ第１の方向に沿った断面（ＸＺ面）及び主面に垂直かつ第２の方向に沿った断面（ＹＺ面）の少なくとも一方において、上側筐体２０の内部側に向かって凹むように湾曲する。
【００４５】
これにより、円筒面のような展開可能な曲面よりも、外力による変形が生じにくいパネル２２を提供することができる。
【００４６】
本実施の形態において、前述のパネル２２を含む電子機器１００の上側筐体２０が提供される。
【００４７】
これにより、薄型化されていながら、適切な剛性を有する上側筐体２０を提供することができる。
【００４８】
本実施の形態において、ディスプレイ２３と、ディスプレイ２３が収容される前述の上側筐体２０と、を有する、電子機器１００が提供される。
【００４９】
これにより、薄型化されていながら、適切な剛性を有する上側筐体２０を備えた電子機器１００を提供することができる。
【００５０】
本実施の形態において、ディスプレイ２３は、弾性体２４を介して、パネル２２の第１の方向（Ｘ方向）において両端に位置する各非隆起部２２ａ，２２ｅ上に支持されている。
【００５１】
これにより、パネル２２の外部からディスプレイ２３にかかる外力を効果的に吸収することができる。
【００５２】
本実施の形態において、前述のパネル２２の製造方法は、金型４１，４２を用い、金型４１，４２を型締めすることにより形成されるキャビティ４３に溶融材料を注入することによりパネル２２を形成することを含む。金型４１，４２の内面における非隆起部２２ａ，２２ｃ，２２ｅを形成する部分及び隆起部２２ｂ，２２ｄを形成する部分は、非隆起部２２ａ，２２ｃ，２２ｅ及び隆起部２２ｂ，２２ｄの湾曲形状に対応して湾曲されている。
【００５３】
これにより、薄型化されていながら、適切な剛性を有するパネル２２を提供することができる。特に、後工程を行ってパネル２２を変形する必要がないので、後工程においてパネル２２に生じる可能性がある寸法及び精度などのばらつきを軽減することができる。
【００５４】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、実施の形態で説明した各構成要素を他の構成要素と組み合わせて、新たな実施の形態とすることも可能である。
【００５５】
実施の形態では、隆起部２２ｂ，２２ｄ及び非隆起部２２ｃのそれぞれが、ＸＺ面及びＹＺ面の両方において、上側筐体２０の内部側に向かって凹むように湾曲する場合を例に説明したが、本開示はこれに限定されない。各隆起部２２ｂ，２２ｄ、及び両端に位置する非隆起部２２ａ，２２ｅ以外の非隆起部２２ｃは、ＸＺ面及びＹＺ面の少なくとも一方において、上側筐体２０の内部側に向かって凹むように湾曲していればよい。
【００５６】
実施の形態では、パネル２２が３つの非隆起部２２ａ，２２ｃ，２２ｅ及び２つの隆起部２２ｂ，２２ｄを有する場合を例に説明したが、本開示はこれに限定されない。パネル２２は、Ｎが正整数であるとき、複数２Ｎ＋１個の非隆起部と、非隆起部よりも筐体の外部側に段差状に突出した複数２Ｎ個の隆起部とを、非隆起部が両端に位置するように、パネル２２の所定の辺に平行な第１の方向において交互に有していればよい。
【００５７】
実施の形態では、電子機器１００がノートブック型コンピュータである場合を例に説明したが、本開示はこれに限定されない。本開示は、所定の方向において交互に配置された複数の非隆起部と複数の隆起部とを有するパネルを含む筐体を備えた電子機器に適用可能である。電子機器は、例えば、タブレット型コンピュータ、携帯電話機、ゲーム機、ディジタルスチルカメラ、ディジタルビデオカメラ、テレビジョン受像機、ブルーレイディスクプレーヤ、ナビゲーションシステム、などの携帯型の電子機器であってもよい。さらには、電子機器は、例えば、デスクトップ型コンピュータ、液晶プロジェクタ、などの据え置き型の電子機器であってもよい。
【００５８】
また、実施の形態では、筐体がノートブック型コンピュータの上側筐体２０である場合を例に説明したが、本開示はこれに限定されない。本開示は、所定の方向において交互に配置された複数の非隆起部と複数の隆起部とを有するパネルを含む筐体を備えた電子機器の筐体に適用可能である。
【００５９】
実施の形態では、パネル２２がマグネシウム合金である場合を例に説明したが、本開示はこれに限定されない。パネル２２は、アルミニウムなどの他の金属であってもよく、又は非金属であってもよい。
【００６０】
実施の形態では、パネルが上側筐体２０のパネル２２である場合を例に説明したが、本開示はこれに限定されない。本開示は、筐体の一の主面を構成するパネルを含むさまざまな電子機器に適用可能である。
【００６１】
実施の形態では、筐体に収容される少なくとも１つの電子部品がディスプレイ２３である場合を例に説明したが、本開示はこれに限定されない。本開示は、筐体により保護すべき少なくとも１つの電子部品を備えたさまざまな電子機器に適用可能である。
【００６２】
以上のように、本開示における技術の例示として、実施の形態を説明した。そのために、添付図面および詳細な説明を提供した。
【００６３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６４】
また、上述の実施の形態は、本開示における技術を例示するためのものであるから、特許請求の範囲またはその均等の範囲において種々の変更、置き換え、付加、省略などを行うことができる。
【産業上の利用可能性】
【００６５】
本開示によれば、所定の方向において交互に配置された複数の非隆起部と複数の隆起部とを有するパネルを含む筐体を備えたさまざまな電子機器に適用可能である。
【符号の説明】
【００６６】
１００…電子機器、
１０…下側筐体、
１１…キーボード、
１２…ポインティングデバイス、
１３…排気口、
２０…上側筐体、
２１…ベゼル、
２２…パネル、
２２ａ，２２ｃ，２２ｅ…非隆起部、
２２ｂ，２２ｄ…隆起部、
２２ｆ…縦面部、
２３…ディスプレイ、
２４…弾性体、
２５ｂ，２５ｃ，２５ｄ…凹部、
３１，３２…ヒンジ、
４１，４２…金型、
４１ａ〜４１ｆ，４２ａ〜４２ｆ…金型の内面の部分、
４３…キャビティ。
【図１】
0006575808.tif 000002
【図２】
0006575808.tif 000003
【図３】
0006575808.tif 000004
【図４】
0006575808.tif 000005
【図５】
0006575808.tif 000006
【図６】
0006575808.tif 000007
【図７】
0006575808.tif 000008
【図８】
0006575808.tif 000009
【図９】
0006575808.tif 000010
【図１０】
0006575808.tif 000011